(57)【要約】【課題】演出処理を実現する副制御基板の歩留まりを向上するとともに、副制御基板の調整処理の作業時間を短縮して、検査コストを低減した遊技機を提供すること。【解決手段】統括制御部５００内のＣＰＵ５０２が、十字キー８ａおよび○ボタン８ｂの選択・決定指示に基づいて、画像用ＩＣ５１２の内部設定レジスタ５１２２および音声用ＩＣ５２２の内部設定レジスタ５２２２の設定値を変更して、画像用ＩＣ５１２から画像用ＲＯＭ５１３および画像用ＲＡＭ５１４へのアクセスタイミングと、音声用ＩＣ５２２から音声用ＲＯＭ５２３および音声用ＲＡＭ５２４へのアクセスタイミングを調整する。【選択図】        図３
2007117610.tif 000002
【特許請求の範囲】
【請求項１】
遊戯の主たる制御を行う主制御デバイスを有する主制御基板と、
前記主制御デバイスからの演出制御指示に基づき演出制御を行う副制御デバイス、この副制御デバイスからの指示に基づいて画像表示処理を実行する画像処理デバイス、前記副制御デバイスからの指示に基づいて音声処理を実行する音声処理デバイス、前記副制御デバイスが演出制御を行う際に必要なデータを記憶する副制御記憶デバイス、前記画像処理デバイスが画像表示処理を実行する際に必要なデータを記憶する画像処理記憶デバイス、および前記音声処理デバイスが音声処理を実行する際に必要なデータを記憶する音声処理記憶デバイスを有する副制御基板と、
を備える遊技機であって、
前記副制御デバイスから前記副制御記憶デバイスへのアクセスタイミングを決定する設定値、画像処理デバイスから前記画像処理記憶デバイスへのアクセスタイミングを決定する設定値、および音声処理デバイスから前記音声処理記憶デバイスへのアクセスタイミングを決定する設定値を変更する内部設定調整手段、
を備えることを特徴とする遊技機。
【請求項２】
前記内部設定調整手段は、前記副制御デバイスに搭載されるものであり、内部設定調整手段は、外部入力手段からの指示に基づき前記アクセスタイミングを決定する設定値の変更を行うことを特徴とする請求項１に記載の遊技機。
【請求項３】
前記副制御基板は、
バックアップ用電源が供給されるバックアップ用記憶手段、
を備え、
前記副制御デバイスは、
主電源が所定の値以下になった場合に、自デバイス、前記画像処理デバイスおよび音声処理デバイスのそれぞれのアクセスタイミングを決定する設定値を含むデータを前記バックアップ用記憶手段に格納するバックアップ手段と、
前記バックアップ手段によってバックアップ用記憶手段に格納されたデータを自デバイス、前記画像処理デバイスおよび音声処理デバイスに設定する初期設定手段と、
をさらに搭載することを特徴とする請求項１または２に記載の遊技機。
【請求項４】
前記外部入力手段は、十字キー、○ボタンおよび×ボタンであることを特徴とする請求項２に記載の遊技機。
【発明の詳細な説明】
【技術分野】
【０００１】
本発明は、ＣＰＵ等の制御手段により遊技動作が制御されるパチンコ機やスロットマシン等の遊技機に関するものであり、特に、遊技機の演出処理を実行する副制御基板に関するものである。
【背景技術】
【０００２】
パチンコ機やパチスロ機などの遊技機では、その動作を制御するために、演算装置としてのＣＰＵ、記憶手段としてのＲＡＭやＲＯＭなどの半導体集積回路（デバイス）を配置形成した各種の制御基板を内部に配設している。
【０００３】
主制御基板に搭載されるＲＯＭ（主ＲＯＭ）には、たとえば、パチスロ機の場合、入賞役の抽選やその抽選結果に基づくリールの回転制御等の遊技機の主な動作制御を行なうためのプログラムが格納されており、主制御基板に搭載されるＣＰＵが主ＲＯＭに格納されるプログラムを実行する。すなわち、主制御基板は、遊技機の遊技判定を含む主制御動作を行なう機能を備えている。
【０００４】
また、近年の遊技機は、液晶表示装置などの表示機能やスピーカで構成される音声出力機器を備え、視覚的、聴覚的に遊技を演出するなど多彩な機能を備えている。副制御基板に搭載されるＲＯＭ（副ＲＯＭ）には、遊技判定には直接関わることのない、遊技の演出や遊技の履歴の表示などの動作制御を行なうためのプログラムが格納されており、副制御基板に搭載されるＣＰＵが副ＲＯＭに格納されているプログラムを実行する。すなわち、副制御基板は、遊技機の演出効果を高める動作を行なう機能を備えている。
【０００５】
たとえば、特許文献１には、副制御基板に搭載されるＲＯＭに各リールの回転表示をしたり、ボーナスゲーム中にスロットマシン遊技の演出を表示するなどの遊技者側に立った情報の表示だけでなく、遊技機管理情報を表示させるプログラムを格納してＣＰＵに実行させることで、遊技者側に立った情報だけでなく、遊技店側に立った情報を表示する機能を備えた遊技機に関する技術が開示されている。
【０００６】
【特許文献１】特開２００２−１９１７５３号公報
【発明の開示】
【発明が解決しようとする課題】
【０００７】
上記特許文献１に記載の従来技術の副制御基板には、ＣＰＵを主な構成要素とし、画像処理を行う画像用ＩＣ、音声処理を行う音声用ＩＣ、ＣＰＵが実行するプログラムや画像用ＩＣが用いる画像データ、音声用ＩＣが用いる音声データなどを格納する複数のＲＯＭ、各種処理のワークメモリとして用いられるＲＡＭなどの半導体集積回路が搭載されている。遊技者の興味を引くために、遊技機の視覚的、聴覚的演出機能も高機能なものが望まれているため、副制御基板に搭載される半導体集積回路（ＣＰＵ、画像用ＩＣ、音声用ＩＣ、複数のＲＯＭ、ＲＡＭなど）の動作周波数も高くなっている。
【０００８】
半導体集積回路の動作周波数が高くなると、各半導体集積回路を接続する副制御基板の配線パターンによる遅延時間の影響が大きくなり、半導体集積回路間のデータの受け渡し時間が厳しくなり、一方の半導体集積回路がマックス値の規格で動作し、他方の半導体集積回路がミニマム値の規格で動作する場合、データの受け渡しを正常に行なうことができないことがある。
【０００９】
このような問題を改善するために、一般的に、高速クロックで動作するＣＰＵや、ＶＤＰ（Video Display Processor）、ＤＳＰ（Digital Signal Processor）などの音や画像等の処理に特化したマイクロプロセッサには、様々なメーカの記憶デバイス（ＳＤＲＡＭやＤＤＲ−ＳＤＲＡＭ、ＰＣＩ−Ｘなど）に対応するために、内部で生成する記憶デバイスへのアクセスタイミングをピコセカンド単位で調整する機能を備えているものが多い。たとえば、外部スイッチやプログラムの初期設定によって設定可能な内部設定レジスタを備え、この内部設定レジスタの値に基づいて記憶デバイスへのアクセスタイミングを決定するようにして、内部設定レジスタの値を調整することで記憶デバイスへのアクセスタイミングをピコセカンド単位で調整可能にしている。ここで、アクセスタイミングとは、記憶デバイスに対する制御信号（チップセレクト信号、リードライト信号、アドレス信号、アウトプットイネーブル信号など）の出力タイミング、書込み時データの出力タイミング、および読み出しデータの読み込みタイミングなど、メモリデバイスへのアクセス(データ書込みやデータ読み出し）に必要な信号のタイミングである。
【００１０】
一般的に測定対象となる信号が高速になるとプローブのインピーダンスの影響が大きくなり、信号を正確に測定するのは難しくなる。そのため、記憶デバイスへのアクセスタイミングを調整可能な半導体集積回路を用いた遊技機の副制御基板においては、ＣＰＵ、画像用ＩＣ、音声用ＩＣのそれぞれの内部設定レジスタを調整しながらそれぞれが処理に用いる記憶デバイスへのアクセスタイミングを変化させて複数の副制御基板の動作チェックを行い、一番多くの副制御基板が安定して動作する内部設定レジスタの値を見つけだし、その値を内部設定レジスタの設定値とするようにしている。すなわち、内部設定レジスタの設定値は、すべての副制御基板が動作する値ではなく、任意の数の副制御基板を動作させた時の歩留まりが最もよい値を内部設定レジスタの設定値に決定し、大量生産時には、決定した設定値を固定値として用いるようにしている。
【００１１】
しかしながら、半導体集積回路は規格内で動作すれば良品であり、入出力信号は、ミニマム値に近くなったり、マックス値に近い近くなったりとばらつきが生じる。そのため、大量生産を行なった場合、各半導体集積回路が良品であるにもかかわらず組合せによって動作しない不良品の数が増加し、製造歩留まりが低下する場合があるという問題があった。
【００１２】
また、従来の遊技機では、副制御基板に搭載されるＣＰＵ、画像用ＩＣ、音声用ＩＣのそれぞれの内部設定レジスタの設定値を決定してしまうと、その後内部設定レジスタの設定値を変更する手段がないため、副制御基板を調整して歩留まりを上げるためには、副制御基板に搭載されている半導体集積回路の組合せを変えるなどの作業を行わなければならず、膨大な作業時間がかかり遊技機の検査コストが高くなるという問題があった。
【００１３】
この発明は、上記課題（問題点）に鑑みてなされたものであり、演出処理を実行する副制御基板の歩留まりを向上するとともに、副制御基板の調整処理の作業時間を短縮して、検査コストを低減した遊技機を提供することを目的とする。
【課題を解決するための手段】
【００１４】
上述した課題を解決するため、本発明は、遊戯の主たる制御を行う主制御デバイスを有する主制御基板と、前記主制御デバイスからの演出制御指示に基づき演出制御を行う副制御デバイス、この副制御デバイスからの指示に基づいて画像表示処理を実行する画像処理デバイス、前記副制御デバイスからの指示に基づいて音声処理を実行する音声処理デバイス、前記副制御デバイスが演出制御を行う際に必要なデータを記憶する副制御記憶デバイス、前記画像処理デバイスが画像表示処理を実行する際に必要なデータを記憶する画像処理記憶デバイス、および前記音声処理デバイスが音声処理を実行する際に必要なデータを記憶する音声処理記憶デバイスを有する副制御基板と、を備える遊技機であって、前記副制御デバイスから前記副制御記憶デバイスへのアクセスタイミングを決定する設定値、画像処理デバイスから前記画像処理記憶デバイスへのアクセスタイミングを決定する設定値、および音声処理デバイスから前記音声処理記憶デバイスへのアクセスタイミングを決定する設定値を変更する内部設定調整手段、を備えることを特徴とする。
【００１５】
本発明によれば、内部設定調整手段が、副制御基板の副制御デバイス、画像処理デバイス、および音声処理デバイスからそれぞれの処理に必要なデータを記憶する記憶デバイスへのアクセスタイミングを決定する設定値を変更するようにしているため、従来のように副制御基板に搭載されている副制御デバイス、画像処理デバイス、および音声処理デバイスと接続される記憶デバイスの組合せを変えるなどの作業を行なうことなく副制御基板を調整することが可能となり、副制御基板の歩留まりを向上するとともに、副制御基板の調整処理の作業時間を短縮して、検査コストを低減することができる。
【００１６】
また、本発明は、上記発明において、前記内部設定調整手段は、前記副制御デバイスに搭載されるものであり、内部設定調整手段は、外部入力手段からの指示に基づき前記アクセスタイミングを決定する設定値の変更を行うことを特徴とする。
【００１７】
本発明によれば、内部設定調整手段は、外部入力手段からの指示に基づいて副制御デバイス、画像処理デバイス、および音声処理デバイスからそれぞれの処理に必要なデータを記憶する記憶デバイスへのアクセスタイミングを決定する設定値を変更するようにしているため、調整者が副制御デバイス、画像処理デバイス、および音声処理デバイスからそれぞれの処理に必要なデータを記憶する記憶デバイスへのアクセスタイミングの設定値を任意に変更することができる。
【００１８】
また、本発明は、上記発明において、前記副制御基板は、バックアップ用電源が供給されるバックアップ用記憶手段、を備え、前記副制御デバイスは、主電源が所定の値以下になった場合に、自デバイス、前記画像処理デバイスおよび音声処理デバイスのそれぞれのアクセスタイミングを決定する設定値を含むデータを前記バックアップ用記憶手段に格納するバックアップ手段と、前記バックアップ手段によってバックアップ用記憶手段に格納されたデータを自デバイス、前記画像処理デバイスおよび音声処理デバイスに設定する初期設定手段と、をさらに搭載することを特徴とする。
【００１９】
本発明によれば、主電源が所定の値以下になった場合には、副制御デバイス、画像処理デバイス、および音声処理デバイスからぞれぞれの処理に必要なデータを記憶する記憶デバイスへのアクセスタイミングの設定値をバックアップし、初期設定時にはバックアップしたぞれぞれのアクセスタイミングの設定値を副制御デバイス、画像処理デバイス、および音声処理デバイスに設定するようにしているため、副制御デバイス、画像処理デバイス、および音声処理デバイスに供給される電源が遮断されてぞれぞれのアクセスタイミングの設定値が消去された場合でも、電源が遮断される前のアクセスタイミングの設定値を設定することができる。
【００２０】
また、本発明は、上記発明において、前記外部入力手段は、十字キー、○ボタンおよび×ボタンであることを特徴とする。
【００２１】
本発明によれば、外部入力手段として、遊技者が表示部に表示される情報項目を選択する十字キー、および十字キーによって選択された情報項目を決定する○ボタンを用いるようにしているため、新たな部品を用いることなく副制御デバイス、画像処理デバイス、および音声処理デバイスのそれぞれの内部クロック周期の設定値を変更することができる。
【発明の効果】
【００２２】
本発明によれば、内部設定調整手段が、副制御基板の副制御デバイス、画像処理デバイス、および音声処理デバイスがそれぞれの処理を実行する際に必要なデータを記憶する記憶デバイスへのアクセスタイミングを決定する設定値を変更するようにしているため、従来のように副制御基板に搭載されている副制御デバイス、画像処理デバイス、および音声処理デバイスと接続される各デバイスの組合せを変えるなどの作業を行なうことなく副制御基板を調整することが可能となり、副制御基板の歩留まりを向上するとともに、副制御基板の調整処理の作業時間を短縮して、検査コストを低減した遊技機を得ることができる。
【発明を実施するための最良の形態】
【００２３】
以下に添付図面を参照して、本発明にかかる遊技機の好適な実施例を詳細に説明する。なお、この実施例によって本発明が限定されるものではない。なお、本発明はパチンコ機にも適用することができるが、ここでは本発明をメダルを遊技媒体として用いるパチスロ機に適用した場合を示すこととする。
【実施例】
【００２４】
まず、図１を用いて本実施例にかかるパチスロ機１の外観構成について説明する。同図に示すように、このパチスロ機１の前面ドア２には、略垂直面をなすパネル表示部２ａおよび液晶表示部２ｂが設けられており、液晶表示部２ｂにはパチスロ遊技時の各種演出や待機時のデモ表示等が行われる。
【００２５】
前面ドア２の背後には、複数種類の図柄が各々の外周面に描かれた３個のリール３Ｌ，３Ｃ，３Ｒが回転自在に横一列に設けられており、各リール３Ｌ，３Ｃ，３Ｒは、一定の速度で回転する。
【００２６】
パネル表示部２ａおよび液晶表示部２ｂの下方には、略水平面をなす台座部４が設けられている。台座部４の右側には、メダルを投入するためのメダル投入口１０が設けられている。台座部４の左側には、クレジットされているメダルを賭けるためのＢＥＴボタン１３が設けられている。また、台座部４の左側には、十字キー８ａ，○ボタン８ｂ、×ボタン８ｃが設けられている。十字キー８ａは、上下左右方向のスイッチ操作を検出して、液晶表示部２ｂに表示される情報項目を選択する際に使用され、○ボタン８ｂは指定項目を決定する際に使用され、×ボタン８ｃは指定項目をキャンセルする際に使用される。これら十字キー８ａ、○ボタン８ｂ、×ボタン８ｃは、遊技中に使用される他に、出荷時あるいはメンテナンス時における後述する内部設定レジスタの設定の際に外部入力手段として用いられる。
【００２７】
台座部４の前面部には、遊技者がゲームで獲得したメダルをクレジットするか、クレジットしたメダルを払い出すかを押下操作で切り換えるＣ／Ｐボタン１４と、遊技者の操作によりリール３Ｌ〜３Ｒを回転駆動させるスタートレバー６と、３個のリール３Ｌ，３Ｃ，３Ｒの回転をそれぞれ停止させるための３個の停止ボタン７Ｌ，７Ｃ，７Ｒとが設けられている。
【００２８】
前面ドア２の上部には、左右対称にスピーカ９Ｌ，９Ｒが設けられており、これらのスピーカ９Ｌ，９Ｒから遊技の演出に関する効果音などを出音する。また、パチスロ機１の下方には、メダルが払い出されるメダル払出口１５と、払い出されたメダルを貯留するためのメダル受け部５が設けられている。
【００２９】
図２は、図１に示したパチスロ機１の遊技処理動作を制御する制御装置の構成を示すブロック図である。図２において、制御装置は、パチスロ機１における遊技の主たる制御処理を行なう主制御基板３０と、主制御基板３０からの演出制御指示に基づいて遊技の演出表示および音声出力の演出処理を行なう副制御基板５０と、主制御基板３０および副制御基板５０に電源を供給する電源基板４０とを備えており、主制御基板３０と副制御基板５０とは、シリアル通信ライン３１を介して、副制御基板５０に接続されている。
【００３０】
主制御基板３０は、図示していないが、主な構成要素としてバス（アドレスバスや、データバス、制御バスなど）によって接続される主制御ＣＰＵ、主制御ＲＯＭ、および主制御ＲＡＭが搭載されている。主制御ＲＯＭには、メダル投入口１０からメダルが投入されたこと、スタートレバー６や、ＢＥＴボタン１３、Ｃ／Ｐボタン１４、停止ボタン７Ｌ、７Ｃ、７Ｒなどが遊技者によって操作されたことを検出した際のパチスロ機１における遊技の主たる制御を行なうプログラムが格納される。
【００３１】
主制御ＣＰＵは、メダル投入口１０からメダルが投入されたこと、スタートレバー６や、ＢＥＴボタン１３、Ｃ／Ｐボタン１４、停止ボタン７Ｌ、７Ｃ、７Ｒなどが遊技者によって操作されたことを検出し、主制御ＲＯＭに格納されたプログラムにしたがって制御動作を行なうとともに、シリアル通信ライン３１を介して、演出制御指示を副制御基板５０に出力する。
【００３２】
主制御ＲＡＭには、たとえば、遊技の状況に応じて発生する時間データや回数カウンタ値などのテンポラリなデータや操作設定値などが格納される。
【００３３】
図３は、図２に示した副制御基板５０の構成の一例を示すブロック図である。図３において、副制御基板５０は、主制御基板３０からの演出制御指示や、十字キー８ａ、○ボタン８ｂ、および×ボタン８ｃが操作されたことによってパチスロ機１の演出処理を統括的に制御する統括制御部５００と、統括制御部５００からの指示によって画像処理を行う画像処理部５１０と、統括制御部５００からの指示によって音声処理を行う音声処理部５２０と、電源基板４０から供給される電源から統括制御部５００、画像処理部５１０、および音声処理部５２０の各構成要素に応じた電源を生成して供給する電源生成部５３０と、電源基板４０から供給されるバックアップ電源によって動作し、統括制御部５００、画像処理部５１０、および音声処理部５２０の各種設定値やデータなどが格納されるバックアップ用ＲＡＭ５４０とを備えている。
【００３４】
統括制御部５００は、クロックパルス発生回路５０１と、ＣＰＵ５０２と、ＣＰＵ用ＲＡＭ５０３と、制御ＲＯＭ５０４と、リセット回路５０５とを備えている。なお、ＣＰＵ５０２が特許請求の範囲でいうところの副制御デバイスであり、ＣＰＵ用ＲＡＭ５０３および制御ＲＯＭ５０４が特許請求の範囲でいうところの副制御記憶デバイスである。
【００３５】
リセット回路５０５は、電源生成部５３０から供給される電源（副制御基板５０の主電源）の電圧を監視し、電圧が所定の値以下になった場合には電源低下警報信号をＣＰＵ５０２に出力する。また、所定の値以下であった電圧が、所定の値より大きくなった場合には、所定の時間ＣＰＵ５０２にリセット信号を出力する。所定の値とは、電源生成部５３０が電源を供給する副制御基板５０に搭載される各構成要素が正常に動作可能（ＣＰＵ５０２がバックアッププログラムを実行可能）な最低電源電圧の値より大きい値である。
【００３６】
クロックパルス発生回路５０１は、水晶発振子などで構成され、ＣＰＵ５０２に基準クロックパルスを出力する。ＣＰＵ５０２の内部クロック生成回路５０２１は、クロックパルス発生回路５０１から入力される基準クロックパルスから動作クロックを生成する。ＣＰＵ５０２は、内部クロック生成回路５０２１によって生成された動作クロックによって動作し、制御ＲＯＭ内の制御プログラムを実行する。ＣＰＵ用ＲＡＭ５０３は、制御ＲＯＭ内の制御プログラムを実行する際のワークメモリとして用いられる。
【００３７】
内部設定レジスタ５０２２は、ＣＰＵ５０２からＣＰＵ用ＲＡＭ５０３および制御ＲＯＭ５０４へのアクセスタイミングを決定する設定値を格納する。ＣＰＵ５０２は、内部設定レジスタ５０２２の設定値に基づいてＣＰＵ用ＲＡＭ５０３および制御ＲＯＭ５０４へのアクセスタイミングを決定する。具体的には、内部設定レジスタ５０２２の設定値に基づいて、ＣＰＵ用ＲＡＭ５０３および制御ＲＯＭ５０４への制御信号（チップセレクト信号、リードライト信号、アドレス信号、アウトプットイネーブル信号など）および書き込みデータを出力するタイミングや、読み出しデータの読み込みタイミングを決定する。
【００３８】
制御ＲＯＭ５０４は、ＣＰＵ５０２が実行するバックアッププログラムや、初期設定プログラム、通常処理プログラム、内部設定調整処理プログラムなどの制御プログラムを格納する。バックアップ処理プログラムは、ＣＰＵ５０２が、リセット回路５０５からの電源低下警報信号を検出した際に実行されるプログラムである。ＣＰＵ５０２は、このバックアップ処理プログラムを実行することによって、ＣＰＵ５０２の内部設定レジスタ５０２２、画像用ＩＣ５１２の内部設定レジスタ５１２２、および音声用ＩＣ５２２の内部設定レジスタ５２２２の設定値を含む各種レジスタの初期設定値や、統括制御部５００、画像処理部５１０、および音声処理部５２０のデータなどをバックアップ用ＲＡＭ５４０に格納するバックアップ手段として動作する。
【００３９】
初期設定プログラムは、ＣＰＵ５０２がリセット回路５０５からのリセット信号が解除されたことを検出した際に実行されるプログラムである。ＣＰＵ５０２は、この初期設定プログラムを実行することにより、バックアップ用ＲＡＭ５４０に格納されているデータを読み出して、ＣＰＵ５０２の内部設定レジスタ５０２２、画像用ＩＣ５１２の内部設定レジスタ５１２２、および音声用ＩＣ５２２の内部設定レジスタ５２２２の設定値を含む各種レジスタの設定値や、統括制御部５００、画像処理部５１０、および音声処理部５２０のデータなどを設定する初期設定手段として動作する。
【００４０】
通常処理プログラムは、ＣＰＵ５０２が主制御基板３０からの演出制御指示や、十字キー８ａ、○ボタン８ｂ、および×ボタン８ｃが操作されたことを検出した際に実行されるプログラムである。ＣＰＵ５０２は、この通常処理プログラムを実行することにより、パチスロ機１の演出処理を統括的に制御する。この通常処理プログラムの実行時には、ＣＰＵ５０２は、演出制御指示に基づいて画像処理部５１０および音声処理部５２０を動作させて液晶表示部２ｂに表示する演出の画像データ信号およびスピーカ９Ｌ、９Ｒに出力させる音声データを生成させる動作指示を出力する。また、ＣＰＵ５０２は、演出制御指示に基づいてパネル表示部２ａのＬＥＤやランプなどを点灯させる。
【００４１】
内部設定調整処理プログラムは、ＣＰＵ５０２が出荷時あるいはメンテナンス時に調整者が図示していないスイッチをＯＮにしたことを検出した際に実行されるプログラムである。ＣＰＵ５０２は、この内部設定調整処理プログラムを実行することにより、十字キー８ａ、○ボタン８ｂ、および×ボタン８ｃからの入力に基づいて画像処理部５１０の画像用ＩＣ５１２の内部設定レジスタ５１２２、および音声処理部５２０の音声用ＩＣ５２２の内部設定レジスタ５２２２を設定する内部設定調整手段として動作する。
【００４２】
画像処理部５１０は、クロックパルス発生回路５１１と、画像用ＩＣ５１２と、画像用ＲＯＭ５１３と、画像用ＲＡＭ５１４と、ドライバＩＣ５１５とを備えている。なお、画像用ＩＣ５１２が特許請求の範囲でいうところの画像処理デバイスであり、画像用ＲＯＭ５１３および画像用ＲＡＭ５１４が特許請求の範囲でいうところの画像処理記憶デバイスである。クロックパルス発生回路５１１は、水晶発振子などで構成され、画像用ＩＣ５１２に基準クロックパルスを出力する。
【００４３】
画像用ＩＣ５１２の内部クロック生成回路５１２１は、クロックパルス発生回路５１１から入力される基準クロックパルスから動作クロックを生成する。画像用ＩＣ５１２は、クロックパルス発生回路５１１によって生成された動作クロックによって動作し、ＣＰＵ５０２からの指示によって画像用ＲＯＭ５１３の画像処理プログラムを実行して液晶表示部２ｂに表示する画像の画像データ信号を生成する。なお、画像用ＲＯＭ５１３には、画像処理プログラムのほかに、処理に必要なデータも格納されている。
【００４４】
画像用ＲＡＭ５１４は、たとえばＳＤＲＡＭやＤＤＲ−ＳＤＲＡＭであり、画像用ＲＯＭ５１３に格納された画像処理プログラムを実行する際のワークメモリとして用いられる。
【００４５】
内部設定レジスタ５１２２は、画像用ＩＣ５１２から画像用ＲＯＭ５１３および画像用ＲＡＭ５１４へのアクセスタイミングを決定する設定値を格納する。画像用ＩＣ５１２は、ＣＰＵ５０２によって内部設定レジスタ５１２２に設定された設定値に基づいて画像用ＲＯＭ５１３および画像用ＲＡＭ５１４へのアクセスタイミングを決定する。具体的には、画像用ＩＣ５１２は、内部設定レジスタ５１２２の設定値に基づいて、画像用ＲＯＭ５１３および画像用ＲＡＭ５１４への制御信号（チップセレクト信号、リードライト信号、アドレス信号、アウトプットイネーブル信号など）および書き込みデータを出力するタイミングや、読み出しデータの読み込みタイミングを決定する。
【００４６】
ドライバＩＣ５１５は、選択信号に基づいて画像用ＩＣ５１２から入力される画像データ、またはＣＰＵ５０２から入力される画像データを選択し、選択した画像データを液晶表示部２ｂに表示可能な信号に変換し、変換した信号を液晶表示部２ｂに出力する。選択信号は、ＣＰＵ５０２によって制御され、内部設定調整プログラム実行時にはＣＰＵ５０２から入力される画像データを選択するように設定され、内部設定調整プログラム以外のプログラム実行時には画像用ＩＣ５１２から入力される画像データを選択するように設定される。
【００４７】
音声処理部５２０は、クロックパルス発生回路５２１と、音声用ＩＣ５２２と、音声用ＲＯＭ５２３と、音声用ＲＡＭ５２４と、パワーアンプ５２５とを備えている。なお、音声用ＩＣ５２２が特許請求の範囲でいうところの音声処理デバイスであり、音声用ＲＯＭ５２３および音声用ＲＡＭ５２４が特許請求の範囲でいうところの音声処理記憶デバイスである。クロックパルス発生回路５２１は、水晶発振子などで構成され、音声用ＩＣ５２２に基準クロックパルスを出力する。
【００４８】
音声用ＩＣ５２２の内部クロック生成回路５２２１は、クロックパルス発生回路５２１から入力される基準クロックパルスから動作クロックを生成する。音声用ＩＣ５２２は、内部クロック生成回路５２２１によって生成された動作クロックによって動作し、ＣＰＵ５０２からの指示によって音声用ＲＯＭ５２３の音声処理プログラムを実行して音声データ信号を生成する。なお、音声用ＲＯＭ５２３には、音声処理プログラムのほかに、処理に必要なデータも格納されている。
【００４９】
音声用ＲＡＭ５２４は、音声用ＲＯＭ５２３に格納された音声処理プログラムを実行する際のワークメモリとして用いられる。パワーアンプ５２５は、音声用ＩＣ５２２が生成した音声データ信号をデジタル信号からアナログ信号に変換してスピーカ９Ｌ、９Ｒに出力する。
【００５０】
内部設定レジスタ５２２２は、音声用ＩＣ５２２から音声用ＲＯＭ５２３および音声用ＲＡＭ５２４へのアクセスタイミングを決定する設定値を格納する。音声用ＩＣ５２２は、ＣＰＵ５０２によって内部設定レジスタ５２２２に設定された設定値に基づいて音声用ＲＯＭ５２３および音声用ＲＡＭ５２４へのアクセスタイミングを決定する。具体的には、音声用ＩＣ５２２は、内部設定レジスタ５２２２の設定値に基づいて、音声用ＲＯＭ５２３および音声用ＲＡＭ５２４への制御信号（チップセレクト信号、リードライト信号、アドレス信号、アウトプットイネーブル信号など）および書き込みデータを出力するタイミングや、読み出しデータの読み込みタイミングを決定する。
【００５１】
バックアップ用ＲＡＭ５４０は、たとえばＳＲＡＭであり、ＣＰＵ５０２によって書き込まれるデータを格納する。バックアップ用ＲＡＭ５４０には、上述したように電源基板４０からバックアップ電源が供給されており、電源生成部５３０から供給される電源が遮断された場合でも格納したデータは保持される。
【００５２】
図３においては、ＣＰＵ５０２、ＣＰＵ用ＲＡＭ５０３、制御ＲＯＭ５０４、画像用ＲＯＭ５１３、画像用ＩＣ５１２、音声用ＲＯＭ５２３、音声用ＩＣ５２２、およびバックアップ用ＲＡＭ５４０をメインバス５５０によって接続し、画像用ＩＣ５１２と画像用ＲＡＭ５１４、音声用ＩＣ５２２と音声用ＲＡＭ５２４とをそれぞれ個別のバスで接続する構成としたがこれに限るものではない。
【００５３】
つぎに、図４のフローチャートを参照して、本実施例にかかるパチスロ機１の副制御基板５０の内部設定調整処理動作について説明する。ＣＰＵ５０２は、調整者が図示していないモードスイッチをＯＮにしたことを検出すると、ＣＰＵ５０２は、ＣＰＵ５０２から入力される画像データを選択する選択信号をドライバＩＣ５１５に出力する。これにより、ドライバＩＣ５１５は、ＣＰＵ５０２から入力される画像データを選択することになり、ＣＰＵ５０２が生成した画像データ（内部設定調整メニュー）を液晶表示部２ｂに表示可能となる。
【００５４】
ＣＰＵ５０２は、画像用ＩＣ５１２の内部設定レジスタ５１２２、および音声用ＩＣ５２２の内部設定レジスタ５２２２の設定値を取得する（ステップＳ１００）。
【００５５】
ＣＰＵ５０２は、取得した設定値を液晶表示部２ｂに表示する（ステップＳ１０１）。具体的には、画像用ＩＣ５１２の内部設定レジスタ５１２２から取得した設定値と画像用ＩＣ５１２とを対応付け、音声用ＩＣ５２２の内部設定レジスタ５２２２から取得した設定値と音声用ＩＣ５２２とを対応付けて液晶表示部２ｂに表示させる内部設定調整メニューの画像データを生成する。ＣＰＵ５０２は、生成した画像データをドライバＩＣ５１５に出力し、ドライバＩＣ５１５は、ＣＰＵ５０２が生成した画像データを選択して液晶表示部２ｂに表示させる。また、ＣＰＵ５０２は、取得した画像用ＩＣ５１２の内部設定レジスタ５１２２の設定値を画像用内部設定表示値とし、取得した音声用ＩＣ５２２の内部設定レジスタ５２２２の設定値を音声用内部設定表示値としてＣＰＵ用ＲＡＭ５０３に記憶させる。
【００５６】
図５は、液晶表示部２ｂに表示される内部設定調整メニューの一例であり、ここでは、表示枠１００に「画像用内部設定値  ×××」が表示され、表示枠１０１に「音声用内部設定値  △△△」が表示されている。
【００５７】
調整者は、十字キー８ａを用いて表示枠１００、または表示枠１０１を選択し、○ボタン８ｂを用いて選択表示枠を決定する。すなわち、画像用ＩＣ５１２の内部設定レジスタ５１２２、または音声用ＩＣ５２２の内部設定レジスタ５１２２の設定値を変更することを決定する。
【００５８】
ＣＰＵ５０２は、十字キー８ａの上方向が押下されたことを検出すると表示枠１００（画像用ＩＣ５１２）が選択されたと認識し、十字キー８ａの下方向が押下されたことを検出すると表示枠１０１（音声用ＩＣ５２２）が選択されたと認識する。また、ＣＰＵ５０２は、○ボタン８ｂが押下されたことを検出すると、選択されたと認識しているデバイス（画像用ＩＣ５１２または音声用ＩＣ５２２）の内部設定レジスタ５１２２、５２２２を調整することが決定されたと認識する。
【００５９】
ここで、調整者によって十字キー８ａの上方向が押下され、○ボタン８ｂが押下されたとすると、ＣＰＵ５０２は、画像用ＩＣ５１２の内部設定レジスタ５１２２の設定値を変更することが決定されたと認識する。
【００６０】
調整者は、十字キー８ａを用いて画像用ＩＣ５１２の内部設定レジスタ５１２２の設定値を選択する。ＣＰＵ５０２は、十字キー８ａの上方向が押下されたことを検出するとＣＰＵ用ＲＡＭ５０３に記憶させた画像用内部設定表示値をインクリメントし、十字キー８ａの下方向が押下されたことを検出するとＣＰＵ用ＲＡＭ５０３に記憶させた画像用内部設定表示値をデクリメントして画像用内部設定表示値を変更する。ＣＰＵ５０２は、変更した画像用内部設定表示値を表示する画像データを生成してドライバＩＣ５１５を介して液晶表示部２ｂに表示させる。また、ＣＰＵ５０２は、変更した画像用内部設定表示値を新たな画像用内部設定表示値としてＣＰＵ用ＲＡＭ５０３に記憶させる。
【００６１】
調整者は、○ボタン８ｂを用いて画像用ＩＣ５１２の内部設定レジスタ５１２２の設定値を決定する。ＣＰＵ５０２は、○ボタン８ｂが押下されたことを検出すると画像用ＩＣ５１２の内部設定レジスタ５１２２の設定値が決定されたと認識する。
【００６２】
このようにして画像用ＩＣ５１２の内部設定レジスタ５１２２の設定値が決定されたと認識すると（ステップＳ１０２）は、ＣＰＵ５０２は、決定された設定値、すなわちＣＰＵ用ＲＡＭ５０３が記憶している画像用内部設定表示値を画像用ＩＣ５１２の内部設定レジスタ５１２２に設定する（ステップＳ１０３）。これにより、画像用ＩＣ５１２は、調整者によって決定された設定値に基づいてアクセスタイミングを決定する。すなわち、画像用ＩＣ５１２から画像用ＲＯＭ５１３および画像用ＲＡＭ５１４へのアクセスタイミングが変更される。
【００６３】
ＣＰＵ５０２は、所定の処理を実行し（ステップＳ１０４）、この実行結果に基づいて実行正常判定処理を実行する（ステップＳ１０５）。この場合は画像用ＩＣ５１２の内部設定レジスタ５１２２の設定値を変更したので、ＣＰＵ５０２は、画像用ＩＣ５１２に任意の画像処理を実行させて液晶表示部２ｂに画像を表示させ、この表示結果に基づいて画像処理部５１０が正常に動作しているか否かを判定する。
【００６４】
ＣＰＵ５０２は、画像用ＩＣ５１２から入力される画像データを選択する選択信号をドライバＩＣ５１５に出力する。これにより、ドライバＩＣ５１５は、画像用ＩＣ５１２から入力される画像データを選択することになる。
【００６５】
内部設定レジスタ５１２２の設定値を変更したことにより、画像用ＩＣ５１２が画像用ＲＯＭ５１３および画像用ＲＡＭ５１４にアクセス可能になると（データの書込みや読み出しが可能になると）、液晶表示部２ｂには画像データが表示され、内部設定レジスタ５１２２の設定値を変更しても画像用ＩＣ５１２が画像用ＲＯＭ５１３および画像用ＲＡＭ５１４にアクセスできない場合には、液晶表示部２ｂには画像データが表示されない。したがって、調整者は、液晶表示部２ｂに画像データが表示されるか否かによって画像処理部５１０が動作しているか否かを判断する。調整者は、○ボタン８ｂおよび×ボタン８ｃを用いて判断結果を入力する。ＣＰＵ５０２は、たとえば、○ボタン８ｂが押下されたことを検出すると正常であると認識し、×ボタン８ｃが押下されたことを検出すると異常であると認識する。
【００６６】
ＣＰＵ５０２は、○ボタン８ｂまたは×ボタン８ｃが押下されたことを検出すると、ＣＰＵ５０２から入力される画像データを選択する選択信号をドライバＩＣ５１５に出力して、自身が生成した画像データを液晶表示部２ｂに表示可能にする。
【００６７】
×ボタン８ｃが押下されたことを検出すると、ＣＰＵ５０２は、異常であると判定されたと認識して、内部設定レジスタ５１２２の設定値の入力を要求する画像データを液晶表示部２ｂに表示させ、画像用ＩＣ５１２の内部設定レジスタ５１２２（現在調整しているデバイスの内部設定レジスタ）の設定値の入力待ち状態であるステップＳ１０２の処理に戻る。ＣＰＵ５０２は、入力された設定値を画像用ＩＣ５１２の内部設定レジスタ５１２２に設定して画像用ＩＣ５１２に任意の画像処理を実行させる動作を、○ボタン８ｂが押下され正常であると判定されたことを認識するまで繰り返す（ステップＳ１０２〜Ｓ１０６）。
【００６８】
○ボタン８ｂが押下されたことを検出すると、ＣＰＵ５０２は、正常であると判定されたと認識して、内部設定調整処理を終了するか否かを判定する（ステップＳ１０７）。具体的には、ＣＰＵ５０２は、内部設定調整処理を終了するか否かを調整者に入力させる画像データを液晶表示部２ｂに表示させ、調整者からの入力に基づいて内部設定調整処理を終了するか否かを判定する。
【００６９】
調整者は、○ボタン８ｂ（処理の継続を意味する）または×ボタン８ｃ（処理の終了を意味する）を用いて内部設定調整処理を終了するか否かを入力する。調整者によって内部設定調整処理を継続することが入力されると（○ボタン８ｂが押下されたことを検出すると）、ＣＰＵ５０２は、ステップＳ１００に戻って、画像用ＩＣ５１２の内部設定レジスタ５１２２、および音声用ＩＣ５２２の内部設定レジスタ５２２２の設定値を取得し（ステップＳ１００）、取得した設定値を液晶表示部２ｂに表示する（ステップＳ１０１）。すなわち、ＣＰＵ５０２は、先の図５に示した内部設定調整メニューを液晶表示部２ｂに表示させる。
【００７０】
ここで、調整者によって十字キー８ａの下方向が押下され、○ボタン８ｂが押下されたとすると、ＣＰＵ５０２は、音声用ＩＣ５２２の内部設定レジスタ５２２２の設定値を変更することが決定されたと認識する。
【００７１】
調整者は、画像用ＩＣ５１２の内部設定レジスタ５１２２の設定値を変更時と同様に、十字キー８ａを用いて音声用ＩＣ５２２の内部設定レジスタ５２２２の設定値を選択する。ＣＰＵ５０２は、十字キー８ａの上方向が押下されたことを検出するとＣＰＵ用ＲＡＭ５０３に記憶させた音声用内部設定表示値をインクリメントし、十字キー８ａの下方向が押下されたことを検出するとＣＰＵ用ＲＡＭ５０３に記憶させた音声用内部設定表示値をデクリメントして音声用内部設定表示値を変更する。ＣＰＵ５０２は、変更した音声用内部設定表示値を表示する画像データを生成してドライバＩＣ５１５を介して液晶表示部２ｂに表示させる。また、ＣＰＵ５０２は、変更した音声用内部設定表示値を新たな音声用内部設定表示値としてＣＰＵ用ＲＡＭ５０３に記憶させる。
【００７２】
調整者は、○ボタン８ｂを用いて音声用ＩＣ５２２の内部設定レジスタ５２２２の設定値を決定する。ＣＰＵ５０２は、○ボタン８ｂが押下されたことを検出すると音声用ＩＣ５２２の内部設定レジスタ５２２２の設定値が決定されたと認識する。
【００７３】
このようにして音声用ＩＣ５２２の内部設定レジスタ５２２２の設定値が決定されたと認識すると（ステップＳ１０２）は、ＣＰＵ５０２は、決定された設定値、すなわちＣＰＵ用ＲＡＭ５０３が記憶している音声用内部設定表示値を音声用ＩＣ５２２の内部設定レジスタ５２２２に設定する（ステップＳ１０３）。これにより、音声用ＩＣ５２２は、調整者によって決定された設定値に基づいてアクセスタイミングを決定する。すなわち、音声用ＩＣ５２２から音声用ＲＯＭ５２３および音声用ＲＡＭ５２４へのアクセスタイミングが変更される。
【００７４】
ＣＰＵ５０２は、所定の処理を実行し（ステップＳ１０４）、この実行結果に基づいて実行正常判定処理を実行する（ステップＳ１０５）。この場合は音声用ＩＣ５２２の内部設定レジスタ５２２２の設定値を変更したので、ＣＰＵ５０２は、音声用ＩＣ５２２に任意の音声処理を実行させて、スピーカ９Ｌ、９Ｒに音声を出力させ、この音声出力結果に基づいて音声処理部５２０が正常に動作しているか否かを判定する。
【００７５】
内部設定レジスタ５２２２の設定値を変更したことにより、音声用ＩＣ５２２が音声用ＲＯＭ５２３および音声用ＲＡＭ５２４にアクセス可能になると、スピーカ９Ｌ、９Ｒから音声が出力され、内部設定レジスタ５２２２の設定値を変更しても音声用ＩＣ５２２が音声用ＲＯＭ５２３および音声用ＲＡＭ５２４にアクセスできない場合には、スピーカ９Ｌ、９Ｒから音声が出力されない。したがって、調整者は、スピーカ９Ｌ、９Ｒから音声が出力されるか否かによって音声処理部５２０が動作しているか否かを判断する。調整者は、○ボタン８ｂおよび×ボタン８ｃを用いて判断結果を入力する。ＣＰＵ５０２は、たとえば、○ボタン８ｂが押下されたことを検出すると正常であると認識し、×ボタン８ｃが押下されたことを検出すると異常であると認識する。
【００７６】
×ボタン８ｃが押下されたことを検出すると、ＣＰＵ５０２は、異常であると判定されたと認識して、内部設定レジスタ５１２２の設定値の入力を要求する画像データを液晶表示部２ｂに表示させ、音声用ＩＣ５２２の内部設定レジスタ５２２２（現在調整しているデバイスの内部設定レジスタ）の設定値の入力待ち状態であるステップＳ１０２の処理に戻る。ＣＰＵ５０２は、入力された設定値を音声用ＩＣ５２２の内部設定レジスタ５２２２に設定して音声用ＩＣ５２２に任意の音声処理を実行させる動作を、○ボタン８ｂが押下され正常であると判定されたことを認識するまで繰り返す（ステップＳ１０２〜Ｓ１０６）。
【００７７】
○ボタン８ｂが押下されたことを検出すると、ＣＰＵ５０２は、正常であると判定されたと認識して、内部設定調整処理を終了するか否かを判定する（ステップＳ１０７）。具体的には、ＣＰＵ５０２は、内部設定調整処理を終了するか否かを調整者に入力させる画像データを液晶表示部２ｂに表示させ、調整者からの入力に基づいて内部設定調整処理を終了するか否かを判定する。
【００７８】
調整者は、○ボタン８ｂ（処理の継続を意味する）または×ボタン８ｃ（処理の終了を意味する）を用いて内部設定調整処理を終了するか否かを入力する。調整者によって内部設定調整処理を継続することが入力されると（○ボタン８ｂが押下されたことを検出すると）、ＣＰＵ５０２は、ステップＳ１００に戻って、画像用ＩＣ５１２の内部設定レジスタ５１２２、および音声用ＩＣ５２２の内部設定レジスタ５２２２の設定値を取得し（ステップＳ１００）、取得した設定値を液晶表示部２ｂに表示する（ステップＳ１０１）。すなわち、ＣＰＵ５０２は、先の図５に示した内部設定調整メニューを液晶表示部２ｂに表示させる。
【００７９】
ここで、調整者によって内部設定調整処理を終了することが入力されると（×ボタン８ｃが押下されたことを検出すると）、ＣＰＵ５０２は、ＣＰＵ５０２の内部設定レジスタ５０２２、画像用ＩＣ５１２の内部設定レジスタ５１２２、および音声用ＩＣ５２２の内部設定レジスタ５２２２の設定値を取得して、バックアップ用ＲＡＭ５４０に格納する（ステップＳ１０８）。ＣＰＵ５０２は、画像用ＩＣ５１２から入力される画像データを選択する選択信号をドライバＩＣ５１５に出力して、内部設定調整処理動作を終了する。
【００８０】
以上説明したように、この実施例においては、遊技機の演出処理を実現する副制御基板５０のＣＰＵ５０２が、外部入力手段である十字キー８ａおよび○ボタン８ｂからの選択・決定指示に基づいて、画像用ＩＣ５１２の内部設定レジスタ５１２２、および音声用ＩＣ５２２の内部設定レジスタ５２２２の設定値を変更して、画像用ＩＣ５１２から画像用ＲＯＭ５１３および画像用ＲＡＭ５１４へのアクセスタイミングと、音声用ＩＣ５２２から音声用ＲＯＭ５２３および音声用ＲＡＭ５２４へのアクセスタイミングとを調整するようにしているため、従来のように副制御基板５０に搭載されている画像用ＲＯＭ５１３や、画像用ＲＡＭ５１４、音声用ＲＯＭ５２３、音声用ＲＡＭ５２４を取り替えるなどの作業を行なうことなく、副制御基板５０を調整することが可能となり、副制御基板５０の歩留まりを向上するとともに、副制御基板５０の調整処理の作業時間を短縮して、検査コストを低減することができる。
【００８１】
また、この実施例においては、ＣＰＵ５０２が、ＣＰＵ５０２の内部設定レジスタ５０２２、画像用ＩＣ５１２の内部設定レジスタ５１２２、および音声用ＩＣ５２２の内部設定レジスタ５２２２の設定値をバックアップ用ＲＡＭ５４０に格納し、初期設定時には、バックアップ用ＲＡＭ５４０に格納した設定値をＣＰＵ５０２の内部設定レジスタ５０２２、画像用ＩＣ５１２の内部設定レジスタ５１２２、および音声用ＩＣ５２２の内部設定レジスタ５２２２に設定するようにしているため、電源生成部５３０から供給される電源が遮断された場合でも、電源が遮断される前の設定値を設定することができる。
【００８２】
なお、この実施例では、ＣＰＵ５０２が正常に動作し、制御ＲＯＭ５０４およびＣＰＵ用ＲＡＭ５０３にアクセス可能な場合を例に挙げて説明したが、ＣＰＵ５０２が正常に動作しない場合も考えられる。この場合は、統括制御部５００に、ＣＰＵ５０２の内部設定レジスタ５０２２のビット数と同じ数の設定値スイッチを設け、調整者はこの設定値スイッチを用いて直接内部設定レジスタ５０２２を設定するようにすればよい。さらに、設定値スイッチによる設定が有効であるか否かを示す有効スイッチを設け、この有効スイッチの出力をＣＰＵ５０２の入力ポートに接続しておく。そして、初期設定プログラムに、有効スイッチの出力が有効を示す信号（たとえば「ＯＮ」）であるのか、無効を示す信号（たとえば「ＯＦＦ」）であるのかを判定し、有効スイッチの出力が無効を示す信号であると判定した場合のみ、バックアップ用ＲＡＭ５４０に格納されている設定値を内部設定レジスタ５０２２に設定する処理ステップを含めておけばよい。
【００８３】
また、この実施例では、画像処理部５１０が正常に動作しているか否かを画像が表示されるか否かで判定し、音声処理部５２０が正常に動作しているか否かを音声が出力されるか否かで判定するようにしたが、判定の方法はこれに限るものではない。たとえば、画像処理や音声処理を実行した際のデータ（処理結果や処理途中の演算結果）を液晶表示部２ｂに表示させ、予め定められた期待値と比較して正常に動作しているか否かを判定するようにしてもよい。
【００８４】
さらに、内部設定調整処理動作の開始時に予め定められた期待値をＣＰＵ用ＲＡＭ５０３に記憶させ、画像処理や音声処理を実行した際のデータとＣＰＵ用ＲＡＭ５０３に記憶させた期待値をとＣＰＵ５０２が比較することで、調整者を介さずに判定するようにしてもよい。
【産業上の利用可能性】
【００８５】
本発明にかかる遊技機は、演出処理を実現する副制御基板の歩留まりを向上させる場合に有用である。
【図面の簡単な説明】
【００８６】
【図１】本実施例にかかるパチスロ機の外観構成を示す斜視図である。
【図２】図１に示したパチスロ機の遊技処理動作を制御する制御装置の構成を示すブロック図である。
【図３】図２に示した副制御基板の構成の一例を示すブロック図である。
【図４】本実施例にかかるパチスロ機の副制御基板の内部設定調整処理動作を説明するためのフローチャートである。
【図５】液晶表示部２ｂに表示される内部設定調整メニューの一例を示す図である。
【符号の説明】
【００８７】
１    パチスロ機
２    前面ドア
２ｂ    液晶表示部
３Ｌ，３Ｃ，３Ｒ    リール
４  台座部
５  メダル受け部
６    スタートレバー
７Ｌ，７Ｃ，７Ｒ    停止ボタン
８ａ  十字キー
８ｂ  ○ボタン
８ｃ  ×ボタン
９Ｌ，９Ｒ  スピーカ
１０メダル投入口
１３  ＢＥＴボタン
１４  Ｃ／Ｐボタン
１５  メダル払出口
３０  主制御基板
４０  電源基板
５０  副制御基板
５００  統括制御部
５０１，５１１，５２１  クロックパルス発生回路
５０２  ＣＰＵ
５０３  ＣＰＵ用ＲＡＭ
５０４  制御ＲＯＭ
５０５  リセット回路
５１０  画像処理部
５１２  画像用ＩＣ
５１３  画像用ＲＯＭ
５１４  画像用ＲＡＭ
５１５  ドライバＩＣ
５２０  音声処理部
５２２  音声用ＩＣ
５２３  音声用ＲＯＭ
５２４  音声用ＲＡＭ
５２５  パワーアンプ
５３０  電源生成部
５４０  バックアップ用ＲＡＭ
５５０  メインバス
５０２１，５１２１，５２２１  内部クロック生成回路
５０２２，５１２２，５２２２  内部設定レジスタ
【図１】
2007117610.tif 000003
【図２】
2007117610.tif 000004
【図３】
2007117610.tif 000005
【図４】
2007117610.tif 000006
【図５】
2007117610.tif 000007